(57)【要約】      （修正有）【課題】光ディスクライブラリ装置に格納されている光ディスクが交換されたことを検知する光ディスク装着方法を提供する。【解決手段】データを記録再生するための複数の光ディスク記録媒体にデータを記録再生するための複数の光ディスクドライブ２００と、光ディスク記録媒体を光ディスク記録再生装置に搬送する光ディスク移送手段１０３とで構成された光ディスクライブラリ装置１００の光ディスク装着方法であって、光ディスクドライブ２００は、光ディスク記録媒体が装着されると、光ディスク記録媒体の識別情報である光ディスク識別情報を取得する第１の光ディスク装着手順と、光ディスク識別情報に関連した起動情報を受信することで、光ディスク装着処理を行う第２の光ディスク装着手順を実行して、光ディスクの装着処理を行う。【選択図】図１
2016110671.tif 000002
【特許請求の範囲】
【請求項１】
データを記録再生するための複数の光ディスク記録媒体にデータを記録再生するための複数の光ディスク記録再生装置と、前記光ディスク記録媒体を前記光ディスク記録再生装置に搬送する光ディスク搬送装置とで構成された光ディスクライブラリ装置の光ディスク装着方法であって、
前記光ディスク記録再生装置に光ディスク記録媒体が装着されると、前記光ディスク記録媒体の識別情報である光ディスク識別情報を取得する第１の光ディスク装着手順と、
前記光ディスク識別情報に関連した起動情報を受信することで、光ディスク装着処理を行う第２の光ディスク装着手順と、
を備える光ディスク装着方法。
【請求項２】
前記光ディスクライブラリ装置は、メモリに格納したディスク情報テーブルを備え、
前記ディスク情報テーブルは、前記光ディスクライブラリ装置に格納されている前記光ディスク記録媒体の光ディスク識別情報を含み、
前記光ディスク記録媒体を前記光ディスク記録再生装置に装着する際に、前記第１の光ディスク装着手順が完了した後、前記光ディスク記録再生装置から光ディスク識別情報を取得する取得ステップと、
前記光ディスク記録再生装置から取得した前記光ディスク識別情報と前記ディスク情報テーブルに格納されている前記光ディスク識別情報を比較する比較ステップと、
を実行し、前記比較ステップによって前記第１の光ディスク装着手順を実行した光ディスク記録媒体が入れ替えられていないことを検知する請求項１記載の光ディスク装着方法。
【請求項３】
前記光ディスクライブラリ装置外部のホストは、メモリに格納したディスク情報テーブルを備え、
前記ディスク情報テーブルは、前記光ディスクライブラリ装置に格納されている前記光ディスク記録媒体の光ディスク識別情報を含み、
前記ホストは、前記光ディスク記録媒体を前記光ディスク記録再生装置に装着する際に、前記第１の光ディスク装着手順が完了した後、前記光ディスク記録再生装置から光ディスク識別情報を取得する取得ステップと、
前記光ディスク記録再生装置から取得した前記光ディスク識別情報と前記ディスク情報テーブルに格納されている前記光ディスク識別情報を比較する比較ステップと、
を実行し、前記比較ステップによって前記第１の光ディスク装着手順を実行した光ディスク記録媒体が入れ替えられていないことを検知する請求項１記載の光ディスク装着方法。
【請求項４】
前記ディスク情報テーブルは、前記光ディスク記録媒体を前記光ディスク記録再生装置に以前装着した際に取得した前記光ディスク記録媒体の装着パラメータを含み、
前記比較ステップによって、前記第１の光ディスク装着手順を実行した光ディスク記録媒体が入れ替えられていないと判断した場合は、前記装着パラメータを含んだ情報を前記起動情報として前記光ディスク記録再生装置に通知し、光ディスク装着処理を行う請求項２および請求項３のいずれかに記載の光ディスク装着方法。
【請求項５】
前記光ディスク記録再生装置は、前記装着パラメータを含んだ前記起動情報を受信し、第２の光ディスク装着手順の処理の一部または全部を省略して実行する請求項４記載の光ディスク装着方法。
【請求項６】
前記装着パラメータは、前記光ディスク記録媒体に対して情報の記録や再生を行う際に使用する光ディスク管理情報を含み、
前記第２の光ディスク装着手順において、前記光ディスク記録媒体からの前記光ディスク管理情報の取得処理の一部または全部を行わない請求項５記載の光ディスク装着方法。
【請求項７】
前記装着パラメータは、前記光ディスク記録媒体に対してデータの記録または再生を行うために調整した調整パラメータを含み、
前記第２の光ディスク装着手順において、前記光ディスク記録媒体に対する調整処理の一部または全部を行わない請求項５記載の光ディスク装着方法。
【請求項８】
データを記録再生するための複数の光ディスク記録媒体にデータを記録再生するための複数の光ディスク記録再生装置と、前記光ディスク記録媒体を前記光ディスク記録再生装置に搬送する光ディスク搬送装置とで構成された光ディスクライブラリ装置であって、
前記光ディスク記録再生装置は、光ディスク記録媒体が装着されると、前記光ディスク記録媒体の識別情報である光ディスク識別情報を取得する第１の光ディスク装着手順と、前記光ディスク識別情報に関連した起動情報を受信することで、光ディスク装着処理を行う第２の光ディスク装着手順とを実行して、光ディスクの装着処理を行う、光ディスク識別情報処理手段を備える光ディスクライブラリ装置。
【請求項９】
前記光ディスクライブラリ装置は、メモリに格納したディスク情報テーブルを備え、
前記ディスク情報テーブルは、前記光ディスクライブラリ装置に格納されている前記光ディスク記録媒体の光ディスク識別情報を含み、
前記光ディスク記録媒体を前記光ディスク記録再生装置に装着する際に、前記第１の光ディスク装着手順が完了した後、前記光ディスク記録再生装置から光ディスク識別情報を取得するステップと、前記光ディスク記録再生装置から取得した前記光ディスク識別情報と前記ディスク情報テーブルに格納されている前記光ディスク識別情報を比較するステップと、を実行し、前記比較ステップによって前記第１の光ディスク装着手順を実行した光ディスク記録媒体が入れ替えられていないことを検知する、光ディスク入れ替え検知手段を備える請求項８記載の光ディスクライブラリ装置。
【請求項１０】
請求項８記載の前記光ディスクライブラリ装置と、
メモリに格納したディスク情報テーブルを備えるホストと、を備える光ディスクライブラリシステムであって、
前記ディスク情報テーブルは、前記光ディスクライブラリ装置に格納されている前記光ディスク記録媒体の光ディスク識別情報を含み、
前記ホストは、前記光ディスク記録媒体を前記光ディスク記録再生装置に装着する際に、前記第１の光ディスク装着手順が完了した後、前記光ディスク記録再生装置から光ディスク識別情報を取得するステップと、前記光ディスク記録再生装置から取得した前記光ディスク識別情報と前記ディスク情報テーブルに格納されている前記光ディスク識別情報を比較するステップと、を実行し、前記比較ステップによって前記第１の光ディスク装着手順を実行した光ディスク記録媒体が入れ替えられていないことを検知する光ディスク入れ替え検知手段を備える光ディスクライブラリシステム。
【請求項１１】
前記ディスク情報テーブルは、前記光ディスク記録媒体を前記光ディスク記録再生装置に以前装着した際に取得した前記光ディスク記録媒体の装着パラメータを含み、
前記光ディスク入れ替え検知手段が、前記比較ステップによって、前記第１の光ディスク装着手順を実行した光ディスク記録媒体が入れ替えられていないと判断した場合は、前記装着パラメータを含んだ情報を前記起動情報として前記光ディスク記録再生装置に通知し、光ディスク装着処理を行う請求項９記載の光ディスクライブラリ装置。
【請求項１２】
前記ディスク情報テーブルは、前記光ディスク記録媒体を前記光ディスク記録再生装置に以前装着した際に取得した前記光ディスク記録媒体の装着パラメータを含み、
前記光ディスク入れ替え検知手段が、前記比較ステップによって、前記第１の光ディスク装着手順を実行した光ディスク記録媒体が入れ替えられていないと判断した場合は、前記装着パラメータを含んだ情報を前記起動情報として前記光ディスク記録再生装置に通知し、光ディスク装着処理を行う請求項１０記載の光ディスクライブラリシステム。
【請求項１３】
前記光ディスク識別情報処理手段は、前記装着パラメータを含んだ前記起動情報を受信し、第２の光ディスク装着手順の処理の一部または全部を省略して実行する請求項１１記載の光ディスクライブラリ装置。
【請求項１４】
前記光ディスク識別情報処理手段は、前記装着パラメータを含んだ前記起動情報を受信し、第２の光ディスク装着手順の処理の一部または全部を省略して実行する請求項１２記載の光ディスクライブラリシステム。
【請求項１５】
前記装着パラメータは、前記光ディスク記録媒体に対して情報の記録や再生を行う際に使用する光ディスク管理情報を含み、
前記光ディスク識別情報処理手段は、前記第２の光ディスク装着手順において、前記光ディスク記録媒体からの前記光ディスク管理情報の取得処理の一部または全部を行わない請求項１１記載の光ディスクライブラリ装置。
【請求項１６】
前記装着パラメータは、前記光ディスク記録媒体に対して情報の記録や再生を行う際に使用する光ディスク管理情報を含み、
前記光ディスク識別情報処理手段は、前記第２の光ディスク装着手順において、前記光ディスク記録媒体からの前記光ディスク管理情報の取得処理の一部または全部を行わない請求項１２記載の光ディスクライブラリシステム。
【請求項１７】
前記装着パラメータは、前記光ディスク記録媒体に対してデータの記録または再生を行うために調整した調整パラメータを含み、
前記光ディスク識別情報処理手段は、前記第２の光ディスク装着手順において、前記光ディスク記録媒体に対する調整処理の一部または全部を行わない請求項１１記載の光ディスクライブラリ装置。
【請求項１８】
前記装着パラメータは、前記光ディスク記録媒体に対してデータの記録または再生を行うために調整した調整パラメータを含み、
前記光ディスク識別情報処理手段は、前記第２の光ディスク装着手順において、前記光ディスク記録媒体に対する調整処理の一部または全部を行わない請求項１２記載の光ディスクライブラリシステム。
【発明の詳細な説明】
【技術分野】
【０００１】
本開示は、光ディスクにデータの記録再生を光ディスクライブラリ装置において、光ディスクが交換されたことを検知する光ディスク装着方法に関する。
【背景技術】
【０００２】
近年、大容量データの長期保存を行うために、光ディスクを複数枚格納した光ディスクライブラリ装置が注目されている。光ディスクライブラリ装置では、格納されている光ディスクをチェンジャー機構によって光ディスクドライブに搬送して、データの記録、再生を行う。
【０００３】
大容量データの長期保存を行うために、光ディスクライブラリ装置では、高い品質を持った光ディスクを使用する必要がある。
【０００４】
光ディスクライブラリ装置では、装置内に格納されている光ディスクを装置外の光ディスクと入れ替えることが可能な装置がある。特許文献１では、光ディスクドライブを複数備え、複数枚格納された光ディスクをチェンジャー機構によって前記光ディスクドライブに装着する光ディスクライブラリ装置が開示されている。
【０００５】
光ディスクライブラリ装置では装置内に格納されている光ディスクの内容を管理するために、光ディスクライブラリ装置内のメモリ、または、光ディスクライブラリ装置を制御するホストに、光ディスクライブラリ装置に格納されている光ディスクの情報リストを持ち、光ディスクの入れ替えが行われた後には、装置内に格納されている光ディスクの内容を確認してリストの更新を行っている。
【０００６】
特許文献２では、光ディスクライブラリ装置に格納されている光ディスクはバーコードの貼り付けられたカートリッジに格納されており、光ディスクの入れ替えが行われた際には、各カートリッジのバーコードを読み取って、光ディスクライブラリ装置内の光ディスクの管理リストを更新する方法が開示されている。
【先行技術文献】
【特許文献】
【０００７】
【特許文献１】特開２０１４−１９１８３９号公報
【特許文献２】特開平９−１２８４７６号公報
【発明の概要】
【発明が解決しようとする課題】
【０００８】
本開示は、光ディスクライブラリ装置に格納されている光ディスクが交換されたことを検知する光ディスク装着方法を提供する。
【課題を解決するための手段】
【０００９】
本開示における光ディスク装着方法は、データを記録再生するための複数の光ディスク記録媒体にデータを記録再生するための複数の光ディスク記録再生装置と、光ディスク記録媒体を光ディスク記録再生装置に搬送する光ディスク搬送装置とで構成された光ディスクライブラリ装置の光ディスク装着方法であって、光ディスク記録再生装置は、光ディスク記録媒体が装着されると、光ディスク記録媒体の識別情報である光ディスク識別情報を取得する第１の光ディスク装着手順と、光ディスク識別情報に関連した起動情報を受信することで、光ディスク装着処理を行う第２の光ディスク装着手順を実行して、光ディスクの装着処理を行う。
【００１０】
また、光ディスクライブラリ装置は、メモリに格納したディスク情報テーブルを備え、ディスク情報テーブルは、光ディスクライブラリ装置に格納されている光ディスク記録媒体の光ディスク識別情報を含み、光ディスク記録媒体を光ディスク記録再生装置に装着する際に、第１の光ディスク装着手順が完了した後、光ディスク記録再生装置から光ディスク識別情報を取得する取得ステップと、光ディスク記録再生装置から取得した光ディスク識別情報とディスク情報テーブルに格納されている光ディスク識別情報を比較する比較ステップと、を実行し、比較ステップによって第１の光ディスク装着手順を実行した光ディスク記録媒体が入れ替えられていないことを検知する。
【００１１】
また、光ディスクライブラリ装置外部のホストは、メモリに格納したディスク情報テーブルを備え、ディスク情報テーブルは、光ディスクライブラリ装置に格納されている光ディスク記録媒体の光ディスク識別情報を含み、ホストは、光ディスク記録媒体を光ディスク記録再生装置に装着する際に、第１の光ディスク装着手順が完了した後、光ディスク記録再生装置から光ディスク識別情報を取得する取得ステップと、光ディスク記録再生装置から取得した光ディスク識別情報とディスク情報テーブルに格納されている光ディスク識別情報を比較する比較ステップと、を実行し、比較ステップによって第１の光ディスク装着手順を実行した光ディスク記録媒体が入れ替えられていないことを検知する。
【００１２】
また、ディスク情報テーブルは、光ディスク記録媒体を光ディスク記録再生装置に以前装着した際に取得した光ディスク記録媒体の装着パラメータを含み、比較ステップによって、第１の光ディスク装着手順を実行した光ディスク記録媒体が入れ替えられていないと判断した場合は、装着パラメータを含んだ情報を起動情報として光ディスク記録再生装置に通知し、光ディスク装着処理を行う。
【００１３】
また、光ディスク記録再生装置は、装着パラメータを含んだ起動情報を受信し、第２の光ディスク装着手順の処理の一部または全部を省略して実行する。
【００１４】
また、装着パラメータは、光ディスク記録媒体に対して情報の記録や再生を行う際に使用する光ディスク管理情報を含み、第２の光ディスク装着手順において、光ディスク記録媒体からの光ディスク管理情報の取得処理の一部または全部を行わないことを特徴とする。
【００１５】
また、装着パラメータは、光ディスク記録媒体に対してデータの記録または再生を行うために調整した調整パラメータを含み、第２の光ディスク装着手順において、光ディスク記録媒体に対する調整処理の一部または全部を行わない。
【発明の効果】
【００１６】
本開示における光ディスク装着方法は、光ディスクライブラリ装置に格納されている光ディスクが交換されたことを検知するのに有効である。
【図面の簡単な説明】
【００１７】
【図１】実施の形態１における光ディスクライブラリ装置の構成を示すブロック図
【図２】実施の形態１における光ディスクドライブの構成を示すブロック図
【図３】実施の形態１におけるディスク情報テーブルの構成を示す説明図
【図４】実施の形態１における従来の光ディスクドライブに光ディスクを装着する手順を示したフローチャート
【図５】実施の形態１における光ディスクを光ディスクドライブに第１の装着手順で装着する手順を示したフローチャート
【図６】実施の形態１における光ディスクを光ディスクドライブに第２の装着手順で装着する手順を示したフローチャート
【図７】実施の形態１および実施の形態２におけるディスク情報テーブルに拡張情報を付与したテーブルの構成を示す説明図
【図８】実施の形態１および実施の形態２における光ディスクライブラリ装置で光ディスクドライブに光ディスクを装着する手順を示したフローチャート
【図９】実施の形態１における光ディスクが使用許可ディスクかどうかを判定する手順を示したフローチャート
【図１０】実施の形態２における光ディスクライブラリ装置の構成を示すブロック図
【発明を実施するための形態】
【００１８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１９】
なお、添付図面および以下の説明は、当業者が本開示を十分に理解するために、提供されるのであって、これらにより特許請求の範囲に記載の主題を限定することは意図されていない。
【００２０】
（実施の形態１）
以下、図１〜９を用いて、実施の形態１を説明する。
【００２１】
［１−１．構成］
［１−１−１．光ディスクライブラリ装置の構成］
図１は、実施の形態１にかかる光ディスクライブラリ装置の構成を示すブロック図である。
【００２２】
光ディスクライブラリ装置１００は、複数の光ディスクを格納する光ディスク格納手段１０１、光ディスクの記録、再生を行う複数の光ディスクドライブ２００、レール１０４に沿って移動する光ディスク移送手段１０３、ディスク情報テーブル１０９を格納するメモリ１０５、光ディスク移送手段１０３や光ディスクドライブ２００の制御や、ディスク情報テーブルを用いて光ディスク格納手段１０１に格納されている光ディスクの内容を管理する光ディスクライブラリ装置制御手段１０６、ホスト１１０と光ディスクライブラリ装置１００の通信を行う通信手段１０７から構成される。
【００２３】
光ディスク格納手段１０１は、光ディスクを格納するために用いる場所で、光ディスクは、図示していないカートリッジに格納されて、光ディスク格納手段１０１に格納されている。本実施の形態では、光ディスク格納手段１０１に、光ディスクが１５枚格納できる例を示す。説明のため、格納位置を示す１から１５の番号を光ディスク格納手段１０１に記載する。なお、光ディスク格納手段に格納できる光ディスクの数は、１５枚に限定されず、装置によって異なっても良いし、格納位置の順番も、一意に判断できる位置であれば、どのような順序でも良い。
【００２４】
光ディスクドライブ２００は、光ディスクライブラリ装置制御手段１０６と、シリアルＡＴＡケーブルなどのケーブルによって接続され、光ディスクライブラリ装置制御手段１０６からの指示に応じて、ホストから転送されたデータの光ディスクへの記録や、光ディスクからデータを読み出し、光ディスクライブラリ装置制御手段１０６へ送信してホスト１１０への転送を行う。本実施の形態では、光ディスクライブラリ装置１００に光ディスクドライブ２００が５台含まれる例を示す。説明のため、格納位置を示す１から５の番号を光ディスクドライブ２００に記載し、上から順に、ドライブ１、ドライブ２、ドライブ３、ドライブ４、ドライブ５と呼ぶ。なお、光ディスクライブラリ装置１００に含まれる光ディスクドライブ２００の数は、５台に限定されず、装置によって異なっても良いし、格納位置の順番も、一意に判断できる位置であれば、どのような順序でも良い。本実施の形態の光ディスクドライブ２００の構成に関しては、後に詳細に述べる。
【００２５】
光ディスク移送手段１０３は、光ディスクライブラリ装置制御手段１０６とフレキシブルフラットケーブル（ＦＦＣ）などのケーブルで接続され、光ディスクライブラリ装置制御手段１０６からの制御指示によってレール１０４に沿って移動し、光ディスク格納手段１０１に格納されている光ディスクの任意の光ディスクドライブ２００への装着や、任意の光ディスクドライブ２００に装着されている光ディスクの光ディスク格納手段１０１への移送を行う。光ディスク移送手段１０３、光ディスクの移送を行う際には、光ディスクのカートリッジからの排出やカートリッジへの格納を併せて行う。
【００２６】
光ディスクライブラリ装置制御手段１０６は、ホスト１１０からのコマンド発行により、光ディスクライブラリ装置１００の制御を行う。コマンドとしては、チェンジャー制御を行うＳＭＣ（ＳＣＳＩ  Ｍｅｄｉａ  Ｃｈａｎｇｅｒ  Ｃｏｍｍａｎｄｓ）や、光ディスクドライブ制御を行うＭＭＣ（Ｍｕｌｔｉ  Ｍｅｄｉａ  Ｃｏｍｍａｎｄｓ）などが考えられるが、光ディスクライブラリ装置固有の独自コマンドであっても良い。
【００２７】
通信手段１０７は、光ディスクライブラリ装置１００とホスト１１０の通信を行うためのＩ／Ｆであり、例えばＳＡＳ（Ｓｅｒｉａｌ  Ａｔｔａｃｈｅｄ  ＳＣＳＩ）やｉＳＣＳＩ（Ｉｎｔｅｒｎｅｔ  Ｓｍａｌｌ  Ｃｏｍｐｕｔｅｒ  Ｓｙｓｔｅｍ  Ｉｎｔｅｒｆａｃｅ）、ＦＣ（Ｆｉｂｅｒ  Ｃｈａｎｎｅｌ）、或いはＳＡＴＡ（Ｓｅｒｉａｌ  ＡＴＡ）などが用いられる。
【００２８】
［１−１−２．光ディスクドライブの構成］
図２は、実施の形態１にかかる光ディスクドライブの構成を示すブロック図である。
【００２９】
光ディスクドライブ２００は、Ｂｌｕ−ｒａｙ（登録商標）  Ｄｉｓｃなどの任意の光ディスク２０１を回転させるディスクモータ２０２と、光ディスク２０１にレーザを照射するＯＰＵ（Ｏｐｔｉｃａｌ  Ｐｉｃｋ  Ｕｐ）２０３と、ＯＰＵ２０３から読み取られた信号の２値化やクロックの生成を行う信号処理手段２０４と、ＯＰＵ２０３から出力されるレーザのパワーやパルス幅の設定を行うレーザ制御手段２０５と、ディスクモータ２０２の回転数やＯＰＵ２０３の動作の制御を行うサーボ手段２０６と、レーザ制御手段２０５へのレーザパワーの設定やサーボ手段２０６への制御コマンドの発行を行い、光ディスクドライブ２００全体の動作の制御や、信号処理手段２０４から読み取った信号を解釈し光ディスク２０１上のデータの取得を行うシステム制御手段２０７と、光ディスクライブラリ装置制御手段１０６との通信を行う通信手段２０９と、光ディスク２０１から読み取った情報の一時的な保存や、通信手段２０９から受信した光ディスク２０１へ記録する情報の格納を行うメモリ２１０と、光ディスク２０１からのディスクＩＤ情報の読み取りや、通信手段２０９から受信したディスクＩＤ情報に応じて処理の切り替えを制御するディスクＩＤ情報処理手段２０８から構成される。
【００３０】
光ディスク２０１には、ディスクＩＤ情報領域２１１とＤＭＡ領域２１２とユーザデータ領域２１３が含まれる。
【００３１】
ディスクＩＤ情報領域２１１は、Ｂｌｕ−ｒａｙ  Ｄｉｓｃでは、ＢＣＡ（Ｂｕｒｓｔ  Ｃｕｔｔｉｎｇ  Ａｒｅａ）領域と呼ばれ、光ディスク２０１の製造段階において、特殊な装置を用いて記録されるユーザが直接記録再生できない領域である。ディスクＩＤ情報領域２１１には、光ディスクのシリアル番号情報、ディスク種別情報、ディスク製造メーカ情報などのディスクＩＤ情報が格納される。
【００３２】
なお、ディスクＩＤ情報領域２１１は、ＢＣＡ領域には限定されず、ディスクをユニークに識別可能な情報が記載された他の領域でも良い。
【００３３】
ディスクＩＤ情報の内容や、ディスクＩＤ情報処理手段２０８の動作に関しては、後に詳細に述べる。
【００３４】
ＤＭＡ領域２１２は、ディスク管理情報が記録された領域である。ディスク管理情報とは、ユーザデータの記録、再生を行うユーザデータ領域２１３の領域構造に関する情報や、欠陥ブロックに関する情報、データの記録開始位置、記録終端位置などの情報を含み、光ディスク２０１にデータの記録、再生を行う際に必要な情報である。
【００３５】
［１−１−３．ディスク情報テーブルの構成］
図３は、実施の形態１にかかるディスク情報テーブルの構成を示す図である。
【００３６】
格納位置は、光ディスク格納手段１０１における光ディスク格納位置を示す。
【００３７】
ディスクＩＤ情報は、光ディスクのディスクＩＤ情報領域２１１から取得した、光ディスクの識別情報で、ディスクＩＤ情報をまだ取得していない光ディスクが格納されている位置には、「情報なし」と記載し、光ディスクが格納されていない位置には、「なし」と記載する。
【００３８】
図３のディスク情報テーブルは、格納位置１、２、４、５の光ディスクを光ディスクドライブに装着し、ディスクＩＤ情報を取得したことがあり、格納位置３、６の光ディスクは、光ディスクドライブに装着したことがなく、それ以外の格納位置には、光ディスクが格納されていないことを示す。
【００３９】
ディスク情報テーブルは、光ディスクを光ディスクドライブから排出する際などに取得を行い、更新する。
【００４０】
［１−２．動作］
以上のように構成された光ディスクライブラリ装置１００について、その動作を以下で説明する。
【００４１】
［１−２−１．従来の光ディスクの装着動作］
図４は、従来の光ディスクドライブに光ディスクを装着する手順を示したフローチャートである。
【００４２】
ステップ４０１では、サーボ制御手段に制御コマンドを発行し、ディスクモータによって光ディスクを回転させる。
【００４３】
ステップ４０２では、レーザ制御手段に制御コマンドを発行して、ＯＰＵからレーザを光ディスクに照射する。
【００４４】
ステップ４０３では、サーボ制御手段に制御コマンドを発行して、光ディスクの記録層に対するフォーカス制御、光ディスクのトラックに追従するトラッキング制御を有効にする。
【００４５】
ステップ４０４では、光ディスクに記録されているディスク種別などのディスクＩＤ情報を読み取る。
【００４６】
ステップ４０５では、信号処理手段、レーザ制御手段、サーボ制御手段に対しての最適な制御パラメータである調整パラメータを決定するための調整処理を行う。例えば、光ディスクと光ディスクドライブに対して最適なレーザパワーやフォーカス位置、再生信号の振幅調整などを行う。
【００４７】
ステップ４０６では、光ディスクのＤＭＡ領域から、論理情報を取得する。論理情報の取得が完了すると、光ディスクの装着処理は完了する。
【００４８】
［１−２−２．実施の形態１の光ディスクの装着動作］
図５と図６は、実施の形態１の光ディスク装置に光ディスクを装着する手順を示したフローチャートである。本開示では、光ディスクの装着を２つの手順に分けて実行する。以後は、図５の手順を第１の装着手順、図６の手順を第２の装着手順と呼ぶ。
【００４９】
まず、図２と図５を用いて、第１の装着手順に関して説明する。
【００５０】
第１の装着手順は、光ディスクドライブ２００に光ディスク２０１が挿入されると、開始する。
【００５１】
ステップ５０１では、システム制御手段２０７からサーボ手段２０６に制御コマンドを発行し、ディスクモータ２０２によって光ディスク２０１を回転させる。
【００５２】
ステップ５０２では、システム制御手段２０７からレーザ制御手段２０５に制御コマンドを発行して、ＯＰＵ２０３からレーザを光ディスク２０１に照射する。
【００５３】
ステップ５０３では、システム制御手段２０７からサーボ手段２０６に制御コマンドを発行して、光ディスク２０１の記録層に対するフォーカス制御、光ディスクのトラックに追従するトラッキング制御を有効にする。
【００５４】
ステップ５０４では、光ディスク２０１のディスクＩＤ情報領域２１１からにディスクＩＤ情報を読み取り、ディスクＩＤ情報処理手段２０８に格納して処理を完了する。
【００５５】
なお、本フローチャートでは図示していないが、ステップ５０４の完了後に、ディスクモータ２０２の回転を停止しても良い。第２の装着手順の開始時に、ステップ５０１からステップ５０３までの処理が必要になるが、第１の装着手順の実行完了後、第２の装着手順を実行するまでの間隔が長い場合は、ディスクモータ２０２を停止することにより、消費電力を低減することが出来る。
【００５６】
第１の装着手順が完了すると、光ディスクドライブ２００を制御するホストから、ディスクＩＤ情報の取得コマンドを発行し、ディスクＩＤ情報を取得する。この場合のホストとは、例えば図１における光ディスクライブラリ装置制御手段１０６で、光ディスクドライブ２００に対してコマンドを発行することで、制御を行う手段を指す。ホストでは、取得したディスクＩＤ情報を基に起動情報を生成する。起動情報は、ディスクＩＤ情報を含む情報である。図７に示すようにディスクＩＤ情報に対応させて、ディスク製造メーカ情報や、ＢＤ−Ｒ  ＤＬ（Ｄｕａｌ  Ｌａｙｅｒ）やＢＤ−Ｒ  ＴＬ（Ｔｒｉｐｌｅ  Ｌａｙｅｒ）などのディスク種別、以前に光ディスクを起動した際に取得したディスクの論理情報や後に述べる図６のステップ６０４で取得した調整パラメータなどの情報を拡張情報として含んでも良い。なお、起動情報に含む情報は、この例に限定されず、光ディスクへの記録、再生によって得られる情報で、光ディスクの記録、再生に必要などのような情報を含んでも良い。例えば、ディスク製造日などの情報を含んでも良いし、光ディスクの製造ロット情報を含んでも良いし、光ディスクの装着、記録、再生回数やアクセス時のエラー発生回数などの使用履歴情報を含んでも良い。
【００５７】
次に、図２と図６を用いて、第２の装着手順に関して説明する。
【００５８】
第２の装着手順は、通信手段２０９から、起動情報とともに起動実行コマンドを受信することで開始する。
【００５９】
ステップ６０１では、起動情報を取得し、ディスクＩＤ情報処理手段２０８に格納する。
【００６０】
ステップ６０２では、ステップ６０１で取得した起動情報と第１の装着手順で得た光ディスクの情報を比較し、正しいディスクかどうかを確認する。本ステップの比較処理は、起動情報に含まれるディスクＩＤ情報が一致していることや、図７のディスク情報テーブルから生成した起動情報の場合は、ディスク種別が一致していることなどで行う。なお、起動情報が予め決められた条件を満たさない場合に、本ステップで正しいディスクではないと判断し起動を終了しても良い。前記判断の条件としては、例えば、サポートしていないディスク製造メーカの光ディスクかどうか、使用履歴情報によって光ディスクの品質が悪いと判断されたかどうか、などが考えられる。なお、これらの条件判定に用いる情報をディスク情報テーブルに含み、起動情報に含めて光ディスクに送信しても良い。前記判断を行うことによって、長期間保存可能な記録品質を確保できない光ディスクに対して記録を行うことで、年数が経過した後にデータが消失することを防ぐことが出来る。なお、正しいディスクかどうかの判定を、ホスト側で行い、起動情報に正しいディスクであることを示す情報を送っても良い。
【００６１】
ステップ６０２で正しいディスクと判断した場合は、ステップ６０３に進んで、処理を継続する。正しいディスクではないと判断した場合は、装着処理を終了する。
【００６２】
ステップ６０３では、起動情報に調整パラメータが含まれるかどうかを確認する。含まれる場合はステップ６０５に進み、含まれない場合は、ステップ６０４に進む。
【００６３】
ステップ６０４では、図４のステップ４０５と同様の調整処理を行う。
【００６４】
ステップ６０５では、簡易調整処理を行う。本ステップでは、起動情報から取得した調整パラメータを設定し、光ディスク上の予め決めた領域を再生することで設定した調整パラメータが適切かどうかの確認を行うだけでも良いし、起動情報から取得した調整パラメータを初期値として、それぞれの調整を実行し、より早く最適なパラメータが得られるようにしても良い。調整処理を簡略化することで、光ディスクの装着時間を短縮することが出来る。
【００６５】
ステップ６０６では、起動情報に論理情報が含まれるかどうかを確認する。
【００６６】
起動情報に論理情報が含まれていない場合はステップ６０７に進んで通常の論理情報取得処理を行い、起動情報に論理情報が含まれている場合は論理情報の取得を行わず、光ディスクの装着処理を完了する。
【００６７】
ステップ６０７では、ステップ４０６と同様の処理を行う。
【００６８】
なお、ステップ６０６で、起動情報に論理情報が含まれている場合には、光ディスクの記録位置の終端が正しく記録されているかどうかや、取得した論理情報と光ディスクから再度取得した情報が一致するかどうかなどの確認処理を行っても良い。
【００６９】
論理情報の取得が完了すると、光ディスクの装着処理は完了する。
【００７０】
なお、第２の装着手順は、起動情報に論理情報や調整パラメータが含まれている場合は、確認処理を行わず、起動情報を設定するだけで完了しても良い。
【００７１】
［１−２−３．ディスク情報テーブルにディスクＩＤ情報の存在する光ディスクの装着動作］
図８は、光ディスクライブラリ装置１００で、光ディスクドライブ２００に光ディスクを装着する処理の手順を示したフローチャートである。
【００７２】
ディスク情報テーブル１０９は、図７の構成になっており、格納位置１の光ディスクを光ディスクドライブ２００のドライブ２に装着する手順に関して述べる。格納位置１の光ディスクは、以前ホスト１１０でデータ記録を行ったことがある光ディスクで、情報の追記または参照を行うためにディスク装着を行う。
【００７３】
ホスト１１０から、光ディスク格納手段１０１の格納位置１に格納されている光ディスクを光ディスクドライブ２００のドライブ２に装着する指示を受け、ステップ８０１では、光ディスク移送手段１０３によって光ディスク格納手段１０１の格納位置１から光ディスクを取り出し、光ディスクドライブ２００のドライブ２に移送する。
【００７４】
ステップ８０２では、光ディスクライブラリ装置制御手段１０６が、第１の装着手順の完了した光ディスクドライブ２００のドライブ２に対してディスクＩＤ情報取得コマンドを発行して、ディスクＩＤ情報を取得する。取得したディスクＩＤ情報は、「ＢＤ１００１」を含んでいる。
【００７５】
ステップ８０３では、ステップ８０２で取得したディスクＩＤ情報を用いて、ディスク情報テーブル１０９を確認し、ステップ８０４で使用許可ディスクかどうかを判定する。
【００７６】
ステップ８０４で使用許可ディスクと判定した場合は、ステップ８０４に進んで装着処理を継続し、使用許可ディスクと判定しなかった場合は、ステップ８０６に進んで、光ディスクドライブ２００に光ディスクライブラリ装置制御手段１０６から停止コマンドを発行して装着処理を終了する。
【００７７】
図９は、使用可能ディスクかどうかの判定手順を示したフローチャートである。
【００７８】
ステップ９０１では、ホスト１１０で使用したことのあるディスクかどうかを判断し、使用履歴があれば、ステップ９０２に進み、使用履歴がなければ、ステップ９０４に進む。格納位置１の光ディスクは、以前に使用したことがある光ディスクのため、使用履歴ありと判定され、ステップ９０２に進む。
【００７９】
ステップ９０２では、ディスク情報テーブル１０９を確認する。ディスク情報テーブル１０９の格納位置１に対応したディスクＩＤとステップ４０２で取得したディスクＩＤ情報を比較して、一致していればステップ９０３で登録ありと判定してステップ９０４に進んで使用許可ディスクと判断し、一致していなければ、登録なしと判定してステップ９０５に進んで使用不許可可能ディスクと判断する。格納位置１の光ディスクでは、登録ありと判定して、使用許可ディスクと判断され、ステップ８０４で使用許可ディスクと判断されたため、ステップ８０４に進む。
【００８０】
ステップ８０４では、ディスク情報テーブル１０９から、起動情報を生成する。
【００８１】
格納位置１の光ディスクは、以前ドライブ２に装着したことがあるため、格納位置１に対応したディスクＩＤ情報、ディスク種別、ディスク製造メーカ、論理情報、今回装着するドライブ２に対応したドライブ調整パラメータ１（ドライブ２）を、起動情報とする。
【００８２】
ステップ８０５では、光ディスクドライブ２００に対して光ディスクライブラリ装置制御手段１０６からステップ８０４で生成したディスク起動情報と共に起動継続コマンドを発行し、光ディスクドライブ２００の第２装着手順を実行して、装着処理を完了する。
【００８３】
ステップ８０３、ステップ８０４で、ディスクＩＤ情報を確認することで、光ディスクが交換されたかどうかを検知することが出来、不正に光ディスクが交換された場合には、装着処理を停止し、データ消失を防ぐことが出来る。なお、光ディスクライブラリ装置１００のメモリ１０５に、光ディスク製造メーカなどから入手したディスクＩＤ情報と製造ロットの紐付け情報や、製造ロット毎の製造日情報や市場課題などの発生情報を含んだ光ディスク情報リストを持つことで、ステップ８０３、ステップ８０４の判定で、市場課題が発生した光ディスクや、製造日から年数が経過し寿命に関しての余裕が少なくなった光ディスクに対して、使用不許可と判断しても良い。また、使用不許可と判断された場合には、ステップ８０６で装着を停止するのではなく、ホスト１１０に対して警告を表示し、ホスト１１０に起動を継続するかどうかの判断を委ねても良い。
【００８４】
［１−２−４．ディスク情報テーブルにディスクＩＤ情報の存在しない光ディスクの装着動作］
次に、ディスク情報テーブル１０９は、図７の構成になっており、格納位置３の光ディスクを光ディスクドライブ２００のドライブ１に装着する手順に関して図４、図６、図８、図９を用いて述べる。格納位置３の光ディスクは、ホスト１１０で使用したことのない光ディスクで、初めて情報を記録するためにディスク装着を行う。
【００８５】
ホスト１１０から、光ディスク格納手段１０１の格納位置３に格納されている光ディスクを光ディスクドライブ２００のドライブ１に装着する指示を受け、ステップ８０１では、光ディスク移送手段１０３によって光ディスク格納手段１０１の格納位置３から光ディスクを取り出し、光ディスクドライブ２００のドライブ１に移送する。
【００８６】
ステップ８０２で、光ディスクライブラリ装置制御手段１０６が、第１の装着手順の完了した光ディスクドライブ２００のドライブ２に対してディスクＩＤ情報取得コマンドを発行して、ディスクＩＤ情報を取得する。取得したディスクＩＤ情報は、「ＢＤ３１２３」を含んでいる。
【００８７】
ステップ８０３で、ステップ８０２で取得したディスクＩＤ情報を用いて、ディスク情報テーブル１０９を確認し、ステップ８０４で使用許可ディスクかどうかを判定する。
【００８８】
図９のステップ９０１で、ホスト１１０で使用したことのあるディスクかどうかを判断する。格納位置３の光ディスクは、使用履歴がないため、ステップ９０４に進んで使用許可ディスクと判断され、ステップ８０４で使用許可ディスクと判断されたため、ステップ８０４に進む。
【００８９】
ステップ８０４で、ディスク情報テーブル１０９から、起動情報を生成する。
【００９０】
格納位置３の光ディスクは、以前ドライブ１に装着したことがないため、ディスクＩＤ情報のみを起動情報とする。
【００９１】
ステップ８０５で、光ディスクドライブ２００に対して光ディスクライブラリ装置制御手段１０６からステップ８０４で生成したディスク起動情報と共に起動継続コマンドを発行し、光ディスクドライブ２００の第２の装着手順を実行して、装着処理を完了する。起動情報がディスクＩＤ情報のみのため、図６では、ステップ６０４で通常調整処理が実行され、ステップ６０７で論理情報の取得処理が行われる。
【００９２】
格納位置３の光ディスクを光ディスクドライブ２００から排出する際には、第１、第２の装着手順で得た情報を、ホストからの指示に応じて返送し、ディスク情報テーブルに登録する。
【００９３】
このように、初めて光ディスクドライブ２００に装着する場合にも、使用禁止ディスクと判断されることなく、装着処理を行うことが出来る。また、１−２−３で述べたディスク情報テーブル１０９がメモリ１０５に格納されている場合は、ディスク情報テーブル１０９を基に、第２の装着手順を実行することなくディスク装着を停止することが出来る。
【００９４】
［１−３．効果等］
以上のように、本実施の形態において、光ディスクを格納する光ディスク格納手段１０１と、光ディスクライブラリ装置１００は、第１の装着手順と第２の装着手順によって、光ディスクの装着処理を行う光ディスクドライブ２００と、ディスクＩＤ情報を含んだディスク情報テーブル１０９と、を備える。
【００９５】
光ディスクドライブ２００に対して光ディスクを装着する際に、第１の装着手順が完了した後にディスクＩＤ情報を取得し、ディスクＩＤ情報とディスク情報テーブル１０９を比較することで、光ディスク格納手段１０１に格納されているディスクが不正に交換されたかどうかを検知することが出来る。このため、不正な光ディスクへデータを記録することによりデータ消失が発生することを防ぐことが出来る。また、ディスク情報テーブル１０９にディスク装着の際に使用する情報を起動情報として格納し、次回以降のディスク装着時には、第１の装着手順が完了した後に取得したディスクＩＤ情報に対応した前記起動情報を使用して、第２の装着手順を実行することで、ディスク装着完了までの時間を短縮することが可能になる。
【００９６】
（実施の形態２）
以下、図７、図８、図１０を用いて、実施の形態２を説明する。
【００９７】
［２−１．構成］
［２−１−１．光ディスクライブラリ装置の構成］
図１０は、実施の形態２にかかる光ディスクライブラリ装置１０００の構成を示すブロック図である。
【００９８】
図１の光ディスクライブラリ装置１００と同一の構成要素には、同一番号を付与して、説明を省略する。
【００９９】
本実施の形態では、光ディスクドライブ２００がシリアルＡＴＡケーブルなどのケーブルによってホスト１０１０と接続されており、ディスク情報テーブル１０９はホスト１０１０のメモリ１００５に含まれている。
【０１００】
［２−２．動作］
［２−２−１ディスクライブラリ装置の動作］
ホスト１０１０は、光ディスクライブラリ装置制御手段１０６に対して、光ディスクの移送指示を出し、光ディスクドライブ２００からのデータ読み出し、光ディスクドライブ２００へのデータ書込みは、ホスト１０１０から、それぞれの光ディスクドライブ２００に対してコマンドを発行し、実行する。
【０１０１】
具体的に、図８を用いて説明する。
【０１０２】
ディスク情報テーブル１０９は、図７の構成になっており、格納位置１の光ディスクを光ディスクドライブ２００のドライブ２に装着する手順に関して述べる。格納位置１の光ディスクは、以前ホスト１０１０でデータ記録を行ったことがある光ディスクで、情報の追記または参照を行うためにディスク装着を行う。
【０１０３】
ホスト１０１０は、光ディスク格納手段１０１の格納位置１に格納されている光ディスクを光ディスクドライブ２００のドライブ２に装着するコマンドを発行し、ステップ８０１では、光ディスク移送手段１０３によって光ディスク格納手段１０１の格納位置１から光ディスクを取り出し、光ディスクドライブ２００のドライブ２に移送する。
【０１０４】
ステップ８０２では、ホスト１０１０が、第１の装着手順の完了した光ディスクドライブ２００のドライブ２に対してディスクＩＤ情報取得コマンドを発行して、ディスクＩＤ情報を取得する。取得したディスクＩＤ情報は、「ＢＤ１００１」を含んでいる。
【０１０５】
ステップ８０３では、ホスト１０１０がステップ８０２で取得したディスクＩＤ情報を用いて、ディスク情報テーブル１０９を確認し、ステップ８０４で使用許可ディスクかどうかを判定する。
【０１０６】
格納位置１の光ディスクは、使用許可ディスクと判断され、ステップ８０４で使用許可ディスクと判断されたため、ステップ８０４に進む。
【０１０７】
ステップ８０４では、ホスト１０１０で、ディスク情報テーブル１０９から、起動情報を生成する。
【０１０８】
格納位置１の光ディスクは、以前ドライブ２に装着したことがあるため、格納位置１に対応したディスクＩＤ情報、ディスク種別、ディスク製造メーカ、論理情報、今回装着するドライブ２に対応したドライブ調整パラメータ１（ドライブ２）を、起動情報とする。
【０１０９】
ステップ８０５では、光ディスクドライブ２００に対してホスト１０１０からステップ８０４で生成したディスク起動情報と共に起動継続コマンドを発行し、光ディスクドライブ２００の第２装着手順を実行して、装着処理を完了する。
【０１１０】
実施の形態１で述べた光ディスク情報リストに関しても、ホスト１０１０のメモリ１００５に保持することで、ディスク品質が悪い光ディスクに対して使用不許可と判断することが出来る。
【０１１１】
［２−３．効果等］
以上のように、本実施の形態において、光ディスクドライブ２００とホスト１０１０が接続され、ディスク情報テーブル１０９がホスト１０１０のメモリに格納されている構成においても、実施の形態１と同等の効果が得られ、光ディスク格納手段１０１に格納されているディスクが交換されたかどうかを検知することが出来る。
【０１１２】
（他の実施の形態）
以上のように、本出願において開示する技術の例示として、実施の形態１、２を説明した。しかしながら、本開示における技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【０１１３】
図１や図１０で光ディスクドライブ２００や光ディスク格納手段１０１の配置例を示したが、光ディスクドライブの数や配置、光ディスク格納手段内の光ディスクの格納場所の数や配置は、この例に制限されない。
【０１１４】
また、実施の形態１および２では、光ディスクの一例としてＢｌｕ−ｒａｙ  Ｄｉｓｃを用いたが、他の光ディスクを用いても良い。また、ディスクＩＤ情報領域２１１としてＢＣＡ領域を用いたが、ユーザによる記録を行うことが出来ず、ディスクの識別情報が記録されていれば、他の領域の情報を用いても良い。
【０１１５】
また、実施の形態１および２では、光ディスク移送手段１０３は、レール１０４の上を移動して、光ディスクの移送を行う例を示したが、光ディスク移送手段１０３は、光ディスクを光ディスク格納手段１０１と光ディスクドライブ２００の間で移動させることが出来る、他の手段を用いても良い。
【０１１６】
また、実施の形態１および２では、光ディスクがカートリッジに格納されて光ディスク格納手段１０１に格納されている例を示したが、本開示における技術は、これに限定されず、光ディスクがカートリッジに格納されずに光ディスク格納手段１０１に格納されても良いし、複数枚の光ディスクが１つのカートリッジに格納されていても良い。
【０１１７】
また、実施の形態１および２では、ディスク情報テーブルとして、光ディスク格納手段１０１の格納位置に対応させたテーブルの例を示したが、ディスク情報テーブルに格納位置情報が含まれず、今までに光ディスクライブラリ装置で使用したことのある光ディスクのディスクＩＤ情報を含む情報でテーブルを作成し、光ディスクライブラリ装置から外部に出された光ディスクに関しても、使用許可ディスクと判断できるようにしても良いし、光ディスクライブラリ装置に光ディスクを正規の手段で交換する場合には、光ディスクライブラリ装置に外部から格納する光ディスクのディスクＩＤ情報をホストなどから通知し、ディスク情報テーブルを更新しても良い。
【０１１８】
また、実施の形態１および２では、光ディスク格納手段１０１内の光ディスクの格納位置は変化しない例を示したが、光ディスクドライブ２００から排出する際に、他の格納位置に戻しても良いし、光ディスク格納手段１０１の１つの位置から他の位置へと、例えば光ディスク移送手段１０３を用いて移動しても良い。その場合には、ディスク情報テーブルとして、光ディスク格納手段１０１の格納位置に対応させたテーブルを用いているならば、ディスク情報テーブルを移動後に位置に対応した情報に更新を行う必要がある。
【０１１９】
以上のように、本開示における技術の例示として、実施の形態を説明した。そのために、添付図面および詳細な説明を提供した。
【０１２０】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２１】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２２】
本開示は、光ディスクを用いてデータの記録を行う、光ディスクライブラリ装置に適用可能である。本開示によって、光ディスクライブラリ装置に格納された光ディスクが不正に入れ替えされたことを検知することができるとともに、データの長期保存が保証できない光ディスクの使用を抑制することが出来るため、本開示によって、データを高信頼性で長期間保存するアーカイブストレージ分野において、データ消失といった産業上の損失を回避する技術として、大きな効果が期待できるものである。
【符号の説明】
【０１２３】
１００  光ディスクライブラリ装置
１０１  光ディスク格納手段
１０３  光ディスク移送手段
１０４  レール
１０５  メモリ
１０６  光ディスクライブラリ装置制御手段
１０７  通信手段
１０９  ディスク情報テーブル
１１０  ホスト
２００  光ディスクドライブ
２０１  光ディスク
２０２  ディスクモータ
２０３  ＯＰＵ
２０４  信号処理手段
２０５  レーザ制御手段
２０６  サーボ手段
２０７  システム制御手段
２０８  ディスクＩＤ情報処理手段
２０９  通信手段
２１０  メモリ
２１１  ディスクＩＤ情報領域
２１２  ＤＭＡ領域
２１３  ユーザデータ領域
１０００  光ディスクライブラリ装置
１００５  メモリ
１０１０  ホスト
【図１】
2016110671.tif 000003
【図２】
2016110671.tif 000004
【図３】
2016110671.tif 000005
【図４】
2016110671.tif 000006
【図５】
2016110671.tif 000007
【図６】
2016110671.tif 000008
【図７】
2016110671.tif 000009
【図８】
2016110671.tif 000010
【図９】
2016110671.tif 000011
【図１０】
2016110671.tif 000012